(57)【要約】【課題】本発明は、退院サマリの作成を容易にすることを目的とする。【解決手段】１つの側面では、入院患者についての退院サマリを作成するコンピュータに以下の処理を実行させることを特徴とする退院サマリ編集プログラムである。ここで、退院サマリ編集プログラムは、今回の退院についての退院サマリの編集画面において、入院患者の過去の退院の際に作成され、登録された過去の退院サマリ情報を読み出し、読み出した過去の退院サマリ情報を参照表示する。そして、退院サマリ編集プログラムは、参照表示した過去の退院サマリ情報から選択された記載内容を新たな退院サマリ情報へ複写すること、又は、複写と編集の双方を行うことを許容する。【選択図】図５
2014071768.tif 000002
【特許請求の範囲】
【請求項１】
入院患者についての退院サマリを作成するコンピュータに、
今回の退院についての退院サマリの編集画面において、前記入院患者の過去の退院の際に作成され、登録された過去の退院サマリ情報を読み出し、読み出した前記過去の退院サマリ情報を参照表示し、
参照表示した前記過去の退院サマリ情報から選択された記載内容を新たな退院サマリ情報へ複写すること、又は、複写と編集の双方を行うことを許容する、
処理を実行させることを特徴とする退院サマリ編集プログラム。
【請求項２】
前記過去の退院サマリ情報を読み出す処理として、
前記過去の退院サマリのうち、入院の診療科、入院時期等の情報について、今回の入院内容情報と合致度が高い退院サマリ情報を優先して読み出す処理を実行させることを特徴とする請求項１に記載の退院サマリ編集プログラム。
【請求項３】
前記過去の退院サマリ情報から選択された記載内容を新たな退院サマリ情報へ複写すること、又は、複写と編集の双方を行うことを許容する処理として、
前記過去の退院サマリ情報の項目のうち、予め設定された複写が可能な項目のみを複写させることを特徴とする請求項１または２に記載の退院サマリ編集プログラム。
【請求項４】
前記過去の退院サマリ情報から選択された記載内容を新たな退院サマリ情報へ複写すること、又は、複写と編集の双方を行うことを許容する処理として、
前記過去の退院サマリ情報の内容が院内の共通サマリ情報である場合、共通サマリ情報で上書きする処理を実行させることを特徴とする請求項１−３のいずれか１つに記載の退院サマリ編集プログラム。
【請求項５】
前記コンピュータに
前記複写した過去の退院サマリ情報については、複写済みであることを示す情報を表示する処理を実行させることを特徴とする請求項３または４に記載の退院サマリ編集プログラム。
【請求項６】
新たな退院サマリを作成する入院患者について、前記入院患者の過去の退院の際に作成され、登録された過去の退院サマリ情報を読み出す読み出し部と
今回の退院についての退院サマリの編集画面において、前記読み出し部が読み出した前記過去の退院サマリ情報を参照表示する表示部と、
前記表示部が参照表示した前記過去の退院サマリ情報から選択された記載内容を新たな退院サマリ情報へ複写すること、又は、複写と編集の双方を行うことを許容する編集部と
を有することを特徴とする退院サマリ編集装置。
【請求項７】
入院患者についての退院サマリを作成する退院サマリ編集装置が、
今回の退院についての退院サマリの編集画面において、前記入院患者の過去の退院の際に作成され、登録された過去の退院サマリ情報を読み出し、読み出した前記過去の退院サマリ情報を参照表示し、
参照表示した前記過去の退院サマリ情報から選択された記載内容を新たな退院サマリ情報へ複写すること、又は、複写と編集の双方を行うことを許容する、
処理を実行することを特徴とする退院サマリ編集方法。
【発明の詳細な説明】
【技術分野】
【０００１】
本発明は、退院サマリ編集プログラム、退院サマリ編集装置および退院サマリ編集方法に関する。
【背景技術】
【０００２】
従来、病院に入院した患者が退院する際に、入院から退院までの病状の経過や治療内容を要約した退院サマリが作成される。また、入退院を繰り返している患者についても、退院の度に、退院サマリが作成される。
【先行技術文献】
【非特許文献】
【０００３】
【非特許文献１】“診療情報管理システム「MedicalBRAINS」  :  富士通エフ・アイ・ピー”、［online］、［平成２１年２月２５日検索］、インターネット＜http://jp.fujitsu.com/group/fip/services/medical/medicalbrains/＞
【発明の概要】
【発明が解決しようとする課題】
【０００４】
しかしながら、退院サマリには、入院患者が退院する度に医師が治療内容の要約を記入するので、作成の手間がかかるという問題がある。
【０００５】
ここで、入退院を繰り返している入院患者についての退院サマリの内容は、毎回同じような内容になる。このため、前回作成した退院サマリの内容を新たに作成する退院サマリの作成に利用することで、退院サマリの作成を効率良く作成することが望ましい。
【０００６】
１つの側面では、本発明は、退院サマリの作成を容易にすることを目的とする。
【課題を解決するための手段】
【０００７】
１つの側面では、入院患者についての退院サマリを作成するコンピュータに以下の処理を実行させることを特徴とする退院サマリ編集プログラムである。ここで、退院サマリ編集プログラムは、今回の退院についての退院サマリの編集画面において、入院患者の過去の退院の際に作成され、登録された過去の退院サマリ情報を読み出し、読み出した過去の退院サマリ情報を参照表示する。そして、退院サマリ編集プログラムは、参照表示した過去の退院サマリ情報から選択された記載内容を新たな退院サマリ情報へ複写すること、又は、複写と編集の双方を行うことを許容する。
【発明の効果】
【０００８】
１つの実施形態では、退院サマリの作成を容易にすることができる。
【図面の簡単な説明】
【０００９】
【図１】図１は、実施例１に係る情報処理システムを説明するための図である。
【図２】図２は、退院サマリ一覧の一例を示す図である。
【図３】図３は、退院サマリ作成画面の一例を示す図である。
【図４】図４は、退院サマリ複写画面の一例を示す図である。
【図５】図５は、複写処理の内容を説明するための図である。
【図６】図６は、実施例１に係る退院サマリ編集装置の機能構成を説明するための図である。
【図７】図７は、サマリ管理データベースが保持する情報の一例を示す図である。
【図８】図８は、文書データベースが保持する情報の一例を示す図である。
【図９】図９は、文書ヘッダデータベースが保持する情報の一例を示す図である。
【図１０】図１０は、プロセス条件マスタが保持する情報の一例を示す図である。
【図１１】図１１は、コンテンツマスタが保持する情報の一例を示す図である。
【図１２】図１２は、退院サマリの表示処理を説明するための図である。
【図１３】図１３は、過去サマリ表示処理と前回複写処理を説明するための図である。
【図１４】図１４は、自動収集処理を説明するための図である。
【図１５】図１５は、自動収集処理の流れを説明するためのフローチャートである。
【図１６】図１６は、退院サマリ複写画面起動処理の流れを説明するためのフローチャートである。
【図１７】図１７は、退院サマリ複写画面の切り替え処理の流れを説明するためのフローチャートである。
【図１８】図１８は、複写処理の流れを説明するためのフローチャートである。
【図１９】図１９は、退院サマリ編集プログラムを実行するコンピュータの一例について説明するための図である。
【発明を実施するための形態】
【００１０】
以下に添付図面を参照して本願に係る退院サマリ編集プログラム、退院サマリ編集装置および退院サマリ編集方法について説明する。
【実施例１】
【００１１】
以下の実施例１では、図１を用いて、退院サマリ編集プログラムを実行する情報処理システムの一例を説明する。図１は、実施例１に係る情報処理システムを説明するための図である。なお、図１に例示する情報処理システム１は、少なくともサーバ２とサーバ２に対してデータの送信を要求するクライアント１０とを有する。
【００１２】
図１に示すように、情報処理システム１は、サーバ２とクライアント１０とを有する。また、サーバ２は、記憶装置３、ＣＰＵ（Central  Processing  Unit）４、Ｉ／Ｏ（Input  Output）５、メモリ６とを有する。また、クライアント１０は、記憶装置１１、ＣＰＵ１２、Ｉ／Ｏ１３、メモリ１４、入力装置１５、出力装置１６を有する。
【００１３】
また、サーバ２とクライアント１０との間は、ネットワークを介して通信可能に接続されている。かかるネットワークは、有線または無線を問わず、インターネット、ＬＡＮ（Local  Area  Network）、ＷＡＮ（Wide  Area  Network）、ＶＰＮ（Virtual  Private  Network）などの任意の通信網を採用できる。
【００１４】
まず、サーバ２が発揮する機能について説明する。サーバ２が有する記憶装置３は、過去に作成された入院患者の退院サマリを記憶する。なお、退院サマリには、記載項目が予め定められた退院時サマリの他に、病院内で共通に利用される院内共通サマリ、各科別ごとに任意で利用される科別サマリを含むことが許容される。また、記憶装置３は、院内共通サマリ、科別サマリを記憶する。また、記憶装置３は、入院までの経過、入院時現症状、既往歴・アレルギー、入院後の臨床経過が記載された中間サマリ等、入院患者について作成された各種データを記憶する。なお、入院患者について作成された各種データには、入院患者が退院する際に作成する退院サマリへ入力すべき情報が含まれる。
【００１５】
ＣＰＵ４は、クライアント１０からの要求に応じて、記憶装置３が記憶する各種情報を検索し、検索結果をクライアント１０に送信する。例えば、ＣＰＵ４は、記憶装置３が記憶する退院サマリのうち、指定された入院患者の退院サマリのデータを検索する。そして、ＣＰＵ４は、指定された入院患者の退院サマリの一覧や退院サマリのデータを、Ｉ／Ｏ５およびネットワークを介して、クライアント１０に対して送信する。
【００１６】
Ｉ／Ｏ５は、各種入出力処理を実行する。具体的には、Ｉ／Ｏ５は、ＣＰＵ４によるメモリ６へのメモリアクセス、記憶装置３へのアクセス、およびクライアント１０との通信等を制御する。また、メモリ６は、ＣＰＵ４が処理を実行する際に利用するデータやプログラムを保持する主記憶装置である。
【００１７】
一方、クライアント１０は、退院サマリ編集プログラムを実行することで、退院サマリ編集装置として動作するコンピュータ等の情報処理装置である。例えば、記憶装置１１は、退院サマリ編集プログラムの実行に必要なデータや設定等を記憶する。ＣＰＵ１２は、退院サマリ編集プログラムを実行することで、退院サマリの作成処理を行う。また、ＣＰＵ１２は、退院サマリの作成に伴い、Ｉ／Ｏ１３とネットワークを介して、サーバ２にデータ検索要求の送信や、データの受信等を行う。
【００１８】
Ｉ／Ｏ１３は、ＣＰＵ１２による記憶装置１１およびメモリ１４へのアクセス、ＣＰＵ１２とサーバ２との間の通信等、各種入出力装置を実行する。また、Ｉ／Ｏ１３は、入力装置１５を介した情報入力や、出力装置１６を用いた情報の出力等を制御する。また、メモリ１４は、ＣＰＵ１２が処理を実行する際に利用する主記憶装置である。また、入力装置１５とは、例えば、キーボードやマウス等の入力装置であり、出力装置１６とは、例えば、モニタである。
【００１９】
次に、退院サマリ編集装置として動作するクライント１０が発揮する機能の概要について説明する。例えば、クライアント１０は、入力装置１５を介して、退院サマリを作成する入院患者の患者ＩＤ（Identification）を受付ける。このような場合には、クライアント１０は、受付けた患者ＩＤについて作成された退院サマリ、及び、現在作成中もしくは作成予定の退院サマリの一覧をサーバ２に要求する。そして、サーバ２は、クライアント１０が受付けた患者ＩＤをキーとして退院サマリを記憶装置３から検索し、検索された退院サマリの一覧をクライアント１０に送信する。その後、クライアント１０は、サーバ２から受信した退院サマリの一覧を退院サマリ一覧画面でモニタに表示する。
【００２０】
図２は、退院サマリ一覧の一例を示す図である。図２に示すように、クライアント１０は、患者ＩＤが「７８１１００００２０６」の入院患者について過去に作成された退院サマリ、及び、現在作成中もしくは作成予定の退院サマリの一覧を表示する。例えば、クライアント１０は、過去に作成された退院サマリ、すなわち過去サマリについては、作成状態を「作成済」として表示し、作成予定の退院サマリについては、作成状態を「未作成」として表示し、現在作成中の退院サマリについては作成状態を「作成中」と表示する。
【００２１】
なお、図２では、退院サマリ一覧画面に、各退院サマリについて「患者ＩＤ」、「患者氏名」、「入院日」、「退院日」、「診療科」、「主治医」、「サマリ記載医師」、「作成状態」、「承認状態」、「受け取り状態」等が表示される例について記載した。しかしながら、実施例は、これに限定されるものではなく、利用者による設定等に応じて任意の情報を表示してよい。
【００２２】
ここで、クライアント１０は、作成予定の退院サマリが選択されると、新たな退院サマリの作成機能を呼び出し、図３に例示するような退院サマリ作成画面を表示する。図３は、退院サマリ作成画面の一例を示す図である。図３に示す例では、クライアント１０は、退院サマリの内容を各項目ごとに入力するウインドウを備えた退院サマリ作成画面を表示する。例えば、図３に示す例では、クライアント１０は、新たに作成する退院サマリを作成するための「退院時サマリ」タブと、病院内で共通して使用するテンプレートを表示する「院内共通サマリ−Ｓａｍｐｌｅ」タブとを表示する。
【００２３】
また、クライアント１０は、「退院時サマリ」タブに、「入院時診断名」、「退院時診断名」、「入院までの経過」、「入院時現症」、「既往歴・アレルギー」、「入院後臨床経過」、「手術情報」、「退院処方」、「退院後予約情報」、「紹介先・転院先」、「転帰」の項目を入力するウインドウを備えた退院サマリの作成画面を表示する。
【００２４】
また、図３中（Ａ−１）に示すように、退院サマリ作成画面には、「前回複写」ボタンが表示されている。クライアント１０は、利用者がマウス等の操作で「前回複写」ボタンを押し下げると、退院サマリ複写画面起動処理を実行する。以下、クライアント１０が実行する退院サマリ複写起動処理の概要について説明する。
【００２５】
まず、クライアント１０は、退院サマリを作成する入院患者について過去に作成された過去サマリの取得要求をサーバ２に送信する。このような場合には、サーバ２は、過去サマリを記憶装置３から検索し、検索結果である過去サマリをクライアント１０へ送信する。また、過去サマリに院内共通サマリと科別サマリが含まれている場合、クライアント１０は、院内共通サマリと科別サマリの取得要求をサーバ２に送信する。
【００２６】
このような場合には、サーバ２は、院内共通サマリと科別サマリを記憶装置３から検索し、検索結果である院内共通サマリと科別サマリとをクライアント１０へ送信する。その後、クライアント１０は、サーバ２から受信した過去サマリを表示する退院サマリ複写画面を参照表示する。
【００２７】
図４は、退院サマリ複写画面の一例を示す図である。図４に示す例では、クライアント１０は、「退院時サマリ」タブ、「院内共通サマリ−Ｓａｍｐｌｅ」タブ、「科別サマリ−Ｓａｍｐｌｅ１」タブ、「科別サマリ−Ｓａｍｐｌｅ２」タブを有する過去サマリを表示する退院サマリ複写画面を表示する。
【００２８】
ここで「院内共通サマリ−Ｓａｍｐｌｅ」タブは、院内共通サマリを表示するタブである。また、「科別サマリ−Ｓａｍｐｌｅ１」タブ、「科別サマリ−Ｓａｍｐｌｅ２」タブは、診療科ごとに任意で使用するテンプレートである科別サマリを表示するタブである。また、クライアント１０は、サーバ２から複数の過去サマリを受信した場合には、過去サマリを選択する選択ボタンとして「＜」、および「＞」を退院サマリ複写画面に表示する。
【００２９】
ここで、クライアント１０は、「退院時サマリ」タブに、項目ごとに過去サマリの内容を表示する複数の項目ウインドウと、各項目を複写する複写ボタンとを表示する。図４に示す例では、クライアント１０は、各項目ウインドウのうち、「入院までの経過」、「入院時現症」、「既往歴・アレルギー」、「入院後臨床経過」の項目に複写ボタンを表示する。また、クライアント１０は、「退院時サマリ」タブに全複写ボタンを表示する。
【００３０】
そして、クライアント１０は、複写ボタンが押し下げされると、複写ボタンが表示されている項目の内容を、退院サマリ作成画面に表示されている各項目のうち、同一の項目に複写する。例えば、クライアント１０は、退院サマリ複写画面上で、図４中（Ｂ）に示す複写ボタンを押し下げすると、図４中（Ｃ）の項目中の内容を、退院サマリ作成画面中の「入院までの経過」を入力するウインドウ内に複写する。
【００３１】
このように、クライアント１０は、新たに作成する退院サマリ作成画面上に、同一患者について過去に作成された過去サマリの内容を参照表示する。そして、クライアント１０は、過去サマリの内容のうち、利用者が選択した項目の内容を新たに作成する退院サマリに複写する。
【００３２】
このため、クライアント１０は、退院サマリの作成を容易にすることができる。すなわち、入退院を繰り返す入院患者についての退院サマリの内容は、毎回同じような内容になる。このため、クライアント１０は、退院の度に新たな退院サマリを作成せずとも、過去に作成した退院サマリの内容を複写することで、新たな退院サマリを容易に作成することができる。
【００３３】
図５は、複写処理の内容を説明するための図である。例えば、クライアント１０は、退院サマリ一覧において、図５中の太枠に示す退院サマリが選択されると、図５中（Ｄ）に示すように、退院サマリ作成画面を表示する。そして、クライアント１０は、前回複写ボタンが押し下げされると、図５中（Ｅ）に示すように、サーバ２に過去サマリの検索を要求する。すると、サーバ１０は、図５中（Ｆ）に示すように、過去サマリを検索し、検索結果として過去サマリをクライアント１０に送信する。
【００３４】
また、クライアント１０は、サーバ２から過去サマリを受信すると、図５中（Ｇ）に示すように、サーバ２から受信した過去サマリを参照表示する。そして、クライアント１０は、図５中（Ｈ）に示すように、退院サマリ複写画面上で複写する項目が選択された場合には、選択項目の内容を、新たに作成する退院サマリに複写する。このように、クライアント１０は、過去に作成した過去サマリのうち、今回と同様の内容が記載された項目の内容を新たに作成する退院サマリに複写するので、退院サマリの作成を容易にすることができる。
【００３５】
なお、クライアント１０は、新たに作成する退院サマリの各項目について、過去サマリから複写した内容を修正してもよく、また、過去サマリの内容を複写した項目について追記等の編集を許容してもよい。また、クライアント１０は、「退院時サマリ」タブの「全複写」ボタンが押し下げられると、予め設定された項目について、過去サマリの内容を新たなに作成する退院サマリの項目に一括で複写する処理を許容してもよい。
【００３６】
また、クライアント１０は、過去サマリについて、退院時サマリだけではなく、院内共通サマリタブ、および科別サマリタブにも、全複写ボタンを表示する。そして、クライアント１０は、院内サマリタブの全複写ボタンが押し下げされた場合には、過去の院内共通サマリを作成中の退院サマリの院内共通サマリタブに上書きする。また、クライアント１０は、科別サマリタブの全複写ボタンが押し下げられた場合には、過去の科別サマリを、作成中の退院サマリにタブを追加し上書きする。
【００３７】
一方、クライアント１０は、退院サマリ作成画面において図３中（Ａ−２）に示す「自動収集」ボタンが押し下げされると、入院患者について作成された各種データから作成中の退院サマリに情報を複写する自動収集処理を実行する。以下、クライアント１０が実行する自動収集処理の概要について説明する。
【００３８】
例えば、クライアント１０は、自動収集ボタンが押し下げされた場合には、入院患者について作成された各種データの取得要求をサーバ２に送信する。例えば、クライアント１０は、退院サマリを作成する入院患者の患者ＩＤ、入院日、および退院日をキーとして、入院患者について今回の入院に対して作成された各種データの取得要求をサーバ２に送信する。すると、サーバ２は、患者ＩＤ、入院日、および退院日をキーとして、入院患者について作成された各種データを検索し、検索結果をクライアント１０に送信する。
【００３９】
そして、クライアント１０は、サーバ２から受信した入院患者について今回の入院に対して作成された各種データの内容を、作成中の退院サマリの各項目に複写する。このように、クライアント１０は、入院患者について今回の入院に対して作成された各種データを自動収集し、作成中の退院サマリに複写するので、退院サマリの作成をより容易にすることができる。
【００４０】
なお、クライアント１０は、サーバ２から受信した入院患者について今回の入院に対して作成された各種データの内容を参照表示し、利用者が選択した内容を作成中の退院サマリに複写してもよい。
【００４１】
次に、図６を用いて、クライアント１０が退院サマリ編集プログラムを実行して退院サマリ編集装置として動作する際の機能構成について説明する。図６は、実施例１に係る退院サマリ編集装置の機能構成を説明するための図である。なお、サーバ２が発揮する各種検索機能については、一般的な検索機能であるため、記載を省略した。
【００４２】
図６に示すように、記憶装置３は、サマリ管理データベース（ＤＢ：Ｄａｔａｂａｓｅ）７、文書データベース８、文書ヘッダデータベース９を有する。また、記憶装置１１は、プロセス条件マスタ１７、コンテンツマスタ１８を有する。一方、退院サマリ編集装置２０は、受付部２１、サマリ情報検索部２２、サマリ一覧表示部２３、過去サマリ取得部２４、科別・共通サマリ取得部２５、過去サマリ表示部２６、複写実行部２７、複写サマリ表示部２８、自動収集項目取得部２９、サマリ表示部３０を有する。なお、図面上では、表記を簡潔にするため、データベースをＤＢと記載した。
【００４３】
まず、図７〜図１１を用いて各記憶装置３、１１が記憶する情報の一例について説明する。まず、図７を用いて、サマリ管理データベース７が保持する情報の一例について説明する。図７は、サマリ管理データベースが保持する情報の一例を示す図である。
【００４４】
例えば、サマリ管理データベース７は、退院サマリ一覧を退院サマリ編集装置２０が表示する際に使用するサマリ管理情報を記憶するデータベースであり、サーバ２が退院サマリ一覧の要求を受付けた際に、検索対象となるデータベースである。なお、図７に示す例では、サマリ管理データベース７が保持する情報と、各情報の内容の説明を併記した。また、図７には、同一の入院患者について過去に作成された過去サマリ＃１〜＃６、および現在新たに作成予定の退院サマリである現在のサマリについて、サマリ管理情報をサマリ管理データベース７が保持する例について記載した。
【００４５】
図７に示す例では、サマリ管理データベース７は、サマリ管理情報として、退院サマリや現在のサマリの項目のうち、患者ＩＤ（ＰＩＤ）、文書番号（ＤＯＣ＿ＮＯ）、入院日時（ＮＯＷ＿ＤＡＴＥ）、退院日時（ＴＡＩＩＮ＿ＤＡＴＥ）を対応付けて保持する。また、サマリ管理データベース７は、診察科（ＮＯＷ＿ＫＡ）、病棟（ＤＯＣＷＤ）部屋（ＲＯＯＭ）、ベッド（ＢＥＤ）、主治医（ＭＡＳＴＥＲ＿ＤＯＣ＿ＲＮＡＭＥ）、記載医（ＳＵＭ＿ＷＲＩＴＥ＿ＲＮＡＭＥ）、作成者氏名（ＣＲ＿ＲＮＡＭＥ）を対応付けて保持する。また、サマリ管理データベース７は、各過去サマリ＃１〜＃６や現在作成予定の退院サマリについて作成状態（ＣＲ＿ＳＴＡＴＥ）を記憶している。
【００４６】
ここで、文書番号とは、過去サマリを含む退院サマリ、院内共通サマリ、科別サマリ、入院患者について作成された各種データ等、文書データベース８が保持する情報に対して一意に割り当てられた番号である。また、入院日時とは、入院患者が入院した日時を示す情報であり、退院日時とは、入院患者が退院した日時を示す情報である。
【００４７】
また、作成状態とは、各過去サマリ＃１〜＃６や現作成予定のサマリが作成中であるか否かを示す情報である。例えば、作成状態が「００」の場合には、未作成である旨を示し、「０１」の場合には、作成中である旨を示し、「０２」の場合には作成済みである旨を示し、「０３」の場合には、作成済み（再）である旨を示す。
【００４８】
なお、診療科とは、入院患者が入院した診療科を示す情報であり、病棟とは、入院患者が入院した病棟を示す情報である。また、部屋とは、入院患者が入院した際に使用した部屋を示す情報であり、ベッドとは、入院患者が入院した際に使用したベッドを示す情報である。また、主治医とは、入院患者が入院した際の主治医を示す情報であり、記載医とは、過去サマリを最後に更新した医師を示す情報である。また、作成者氏名とは、過去サマリを最初に作成した医師の氏名である。
【００４９】
このようなサマリ管理データベース７が保持する情報を受信した場合には、退院サマリ編集装置２０は、受信した情報をサマリ一覧画面に表示する。例えば、退院サマリ編集装置２０は、図７に例示した情報を受信した場合には、図２に例示したサマリ一覧画面を表示する。
【００５０】
なお、図７に示す例では、サマリ管理データベース７は、各過去サマリ＃１〜＃６、および現在のサマリの項目のうち、患者ＩＤ、文書番号、入院日時、退院日時、診療科、病棟、部屋、ベッド、主治医、記載医、作成者氏名、作成状態を対応付け記憶していた。しかし、実施例はこれに限定されるものではなく、サマリ管理データベース７は、患者ＩＤ、文書番号、入院日時、診療科以外の情報については、記憶せずともよく、また、他の項目を記憶してもよい。また、図７に示す例では、患者ＩＤ、および文書番号のうち一部のみを記載した。
【００５１】
次に、図８を用いて、文書データベース８が保持する情報について説明する。図８は、文書データベースが保持する情報の一例を示す図である。なお、図８には、文書データベース８が保持する情報と、各情報の内容の説明を併記した。例えば、文書データベース８は、病院内で共通して利用する院内共通サマリ、各診察科ごとに任意で利用する科別サマリ、退院サマリ等の各種サマリ文書を保持する。また、文書データベース８は、入院患者の入院までの経過、入院時現症、既往歴・アレルギー、入院後の臨床経過を記録した中間サマリ等の各種文書を保持する。
【００５２】
例えば、図８に示すように、文書データベース８は、各種サマリ文書や各種情報の内容であるＸＭＬ（Extensible  Markup  Language）形式の文書内容（ＤＯＣ＿ＤＡＴＥＸ）を、患者ＩＤおよび文書番号と対応付けて保持する。一例を挙げると、図８に示す例では、文書データベース８は、入院までの経過、入院時現症、既往歴・アレルギー、入院後の臨床経過を記録した中間サマリ等、入院患者について作成された各種データの文書内容を患者ＩＤおよび文書番号と対応付けて保持する。
【００５３】
また、図８に示す例では、文書データベース８は、過去サマリ＃６の文書内容を、患者ＩＤおよび文書番号と対応付けて保持する。また、文書データベース８は、院内共通サマリの文書内容を、患者ＩＤおよび文書番号と対応付けて保持する。また、文書データベース８は、科別サマリ＃１の文書内容を保持する。
【００５４】
このような文書データベース８が保持する文書内容のうち、入院までの経過、入院時現症、既往歴・アレルギー、中間サマリ等、入院患者について作成された各種文書内容は、自動収集処理において検索対象となる。また、文書データベース８が保持する文書内容のうち、退院サマリ、科別サマリ、および院内共通サマリの文書内容は、前回複写処理において検索対象となる。
【００５５】
なお、図８では、経過内容や科別サマリとして記憶されたテキストデータを「◎」で示した。また、図８では、記載が煩雑になるのを防ぐため、図示を省略したが、各種サマリの文書内容には、各種サマリが有する各項目の記載内容が、各項目ごとに異なるタグで囲まれた範囲内に記載されていてもよい。
【００５６】
次に、図９を用いて、文書ヘッダデータベース９が保持する情報について説明する。図９は、文書ヘッダデータベースが保持する情報の一例を示す図である。なお、図９には、文書ヘッダデータベース９が保持する情報と、各情報の内容の説明を併記した。例えば、文書ヘッダデータベース９は、文書データベース８が保持する各種サマリ文書や各種文書のヘッダ情報を記憶しており、サーバ２が入院患者について今回の入院に対して作成された各種文書を検索する際に検索対象となるデータベースである。
【００５７】
すなわち、サーバ２は、入院患者について今回の入院に対して作成された各種文書を検索する際は、文書ヘッダデータベース９が保持するヘッダ情報から、指定された患者ＩＤを有するヘッダ情報を検索し、その後、検索したヘッダ情報に含まれる文書ＩＤを用いて、文書データベース８から各種文書の文書内容を検索する。
【００５８】
図９に示すように、文書ヘッダデータベース９は、各種サマリ情報や各種文書に含まれる患者ＩＤ、文書番号、文書種別（ＤＯＣ＿Ｋ）、文書タイトル（ＤＯＣ＿ＴＩＴＬＥ）、文書日付（ＤＯＣＤＡＴＥ）をヘッダ情報として保持する。例えば、図９に示す例では、文書ヘッダデータベース９は、文書データベース８が保持する情報のうち、患者ＩＤが「７８１１００００２０６」である入院患者の入院までの経歴、入院時現症、既往歴・アレルギー、中間サマリ情報のヘッダ情報を記憶している。なお、文書ヘッダデータベース９は、各種サマリ情報や各種データに含まれる他の情報をヘッダ情報として記憶してもよい。なお、図９に示す例では、患者ＩＤおよび文書ＩＤの一部のみを記載した。
【００５９】
次に、図１０を用いて、プロセス条件マスタ１７が保持する情報について説明する。図１０は、プロセス条件マスタが保持する情報の一例を示す図である。なお、図１０に示す例では、プロセス条件マスタ１７が保持する情報と、各情報の内容を併記した。例えば、プロセス条件マスタ１７は、退院サマリ編集装置２０が実行する処理の内容を設定する設定情報を保持する。
【００６０】
詳細には、図１０に示すようにプロセス条件マスタ１７は、科別サマリ設定、院内共通サマリ設定、自動収集機能設定、自動収集コメント設定、前回複写機能設定、前回複写コメント設定、対象科の設定、検索期間の設定、複写項目の設定を保持する。ここで、科別サマリ設定では、文書データベース８が保持する科別サマリのうち、前回複写処理に利用する科別サマリの文書種別を指定する。
【００６１】
また、院内共通サマリ設定では、文書データベース８が保持する院内共通サマリのうち、複写処理に利用する院内共通サマリの文書種別を指定する。また、自動収集機能設定では、新たな退院サマリが未作成の場合にのみ入院患者について今回の入院に対して作成された各種文書を検索するか否かを指定する。
【００６２】
また、自動収集コメント設定では、自動収集した入院患者について今回の入院に対して作成された各種文書の内容を新たな退院サマリに複写した際に挿入する文言を指定する。また、前回複写機能設定では、新たな退院サマリを作成する入院患者についての過去サマリの内容を、新たな退院サマリに複写するか否かを指定する。また、前回複写コメント設定では、過去サマリの内容を、新たな退院サマリに複写した際に挿入する文言を指定する。
【００６３】
また、対象科の設定では、過去サマリを検索する際に、診療科による絞込みを行うか否かを指定する。例えば、退院サマリ編集装置２０は、入院患者が入院中の診療科である「自科」を示す番号が後述する「Ｖａｌｕｅ」に設定されている場合には、自科に対する過去サマリのみをサーバ２に依頼する。
【００６４】
また、退院サマリ編集装置２０は、「全科」を示す番号が後述する「Ｖａｌｕｅ」に設定されている場合には、全ての診療科に対する過去サマリをサーバ２に依頼する。ここで、退院サマリ編集装置２０は、他施設の退院サマリを複写元とするか否かを指定することができる。例えば、退院サマリ編集装置２０は、他施設の退院サマリを複写元としない場合は、全ての診療科に対する過去サマリをサーバ２に依頼する。そして、退院サマリ編集装置２０は、サーバ２から受信した退院サマリのうち、自施設の退院サマリのみを抽出する。
【００６５】
また、検索期間の設定では、過去サマリを入院時期で絞り込む際に利用する期間を指定する。例えば、検索期間が後述する「Ｖａｌｕｅ」に「６」ヶ月と設定されている場合には、過去サマリのうち、現在日時から「６」ヶ月以内の入院に対する過去サマリが最初の検索対象となる。また、退院サマリ編集装置２０は、検索回数が後述する「Ｖａｌｕｅ２」に「３」回と設定されている場合、過去サマリが検索されるまで最大３回の検索を行うことができる。
【００６６】
すなわち、退院サマリ編集装置２０は、最初の検索で過去サマリが１件も検索されなかった場合は、さらに、検索開始日を「６」ヶ月遡った２回目の検索を行う。そして、退院サマリ編集装置２０は、２回目の検索でも過去サマリが１件も検索されなかった場合は、さらに検索開始日を「６」ヶ月遡った３回目の検索を行い、それでも過去サマリが１件も検索されなかった場合は前回複写処理を終了する。また、複写項目の設定では、過去サマリのうち、新たに作成する退院サマリに複写する項目を指定する。
【００６７】
また、プロセス条件マスタ１７は、各設定について「ＰｒｏｃｅｓｓＮａｍｅ」、「Ｓｅｃｔｉｏｎ」、「Ｋｅｙ」、「Ｖａｌｕｅ」、「Ｖａｌｕｅ２」、「Ｎｏｔｅ」等の情報を対応付けて保持する。ここで、「ＰｒｏｃｅｓｓＮａｍｅ」とは、各設定を行うプロセスの名称である。また、「Ｓｅｃｔｉｏｎ」とは、設定方法を示す情報である。また、「Ｋｅｙ」とは、プロセスが各設定を指定するための値である。また、「Ｖａｌｕｅ」、「Ｖａｌｕｅ２」とは、設定された内容を示す値である。また、「Ｎｏｔｅ」とは、各設定内容を説明する情報であり、利用者が退院サマリ編集装置２０の設定を行う際に表示される情報である。
【００６８】
例えば、退院サマリ編集装置２０は、自動収集機能設定について「Ｖａｌｕｅ」が「０」に設定されている場合には、退院サマリの自動収集処理を、新たな退院サマリが未作成の場合のみ実行する。また、退院サマリ編集装置２０は、自動収集処理を行った場合には、自動収集コメント設定の「Ｖａｌｕｅ」に設定された文言を挿入する。また、退院サマリ編集装置２０は、過去サマリから内容を複写した項目について、前回複写コメント設定の「Ｖａｌｕｅ」に設定された値に応じた予約語やテキスト等を挿入する。
【００６９】
また、退院サマリ編集装置２０は、検索期間の設定について「Ｖａｌｕｅ」が「６」、「Ｖａｌｕｅ２」が「３」である場合には、過去の退院サマリを検索する際に、現在から「６」ヶ月以内の入院に対して作成された過去サマリを検索し、過去サマリが最低１件検索されるまで、最大「３」回、検索開始日を「６」ヶ月ずつ遡りながら退院サマリを検索する。
【００７０】
また、退院サマリ編集装置２０は、複写項目の設定のうち「Ｋｅｙ」が「ＳＰＤ＿Ｄｉａｇｎｏｓｉｓ」の「Ｖａｌｕｅ」が「０」である場合には、退院サマリの各項目のうち「入院時診断名」を後述する複写処理の対象にはしない。すなわち、退院サマリ編集装置２０は、「Ｖａｌｕｅ」に「１」が設定された項目については、複写処理の対象とし、「Ｖａｌｕｅ」に「０」が設定された項目については、複写処理の対象とはしない。このため、退院サマリ編集装置２０は、「Ｖａｌｕｅ」に「１」が設定された項目についてのみ複写ボタンを表示する。
【００７１】
次に、図１１を用いて、コンテンツマスタ１８が保持する情報について説明する。図１１は、コンテンツマスタが保持する情報の一例を示す図である。例えば、コンテンツマスタ１８は、退院サマリを作成する際にテンプレートとして使用する科別サマリを、有効期限と共に保持する。
【００７２】
例えば、図１１に示す例では、コンテンツマスタ１８は、「ＳｅｃｔｉｏｎＣｏｄｅ」が「０１３」である診療科において任意で使用される科別サマリの「Ｓａｍｐｌｅ１．Ｘｔｍ」と「Ｓａｍｐｌｅ２．Ｘｔｍ」とを保持する。なお、図１１に示す例では、「Ｓａｍｐｌｅ１．Ｘｔｍ」および「Ｓａｍｐｌｅ２．Ｘｔｍ」に有効期限の開始日や終了日は設定されていない。このように、有効期限が設定されていない科別サマリは、有効期限内の科別サマリと同様、複写可能なサンプルとして取り扱われ、有効期限が切れている科別サマリは、複写できない科別サマリとして取り扱われる。
【００７３】
以下、図６に戻って、退院サマリ編集装置２０が発揮する機能について説明する。受付部２１は、患者ＩＤ等の入力を受付ける。すると、受付部２１は、受付けた患者ＩＤ等をサマリ情報検索部２２に出力する。
【００７４】
サマリ情報検索部２２は、受付部２１から患者ＩＤ等を受信すると、例えば、受信した患者ＩＤ等に応じたクエリをサーバ２に送信することで、退院サマリ一覧をサーバ２に要求する。このような場合には、サーバ２は、サマリ管理データベース７からクエリに合致する退院サマリを検索し、検索結果をサマリ情報検索部２２に送信する。
【００７５】
その後、サマリ情報検索部２２は、サーバ２から検索結果の退院サマリ一覧を受信すると、受信した退院サマリ一覧をサマリ一覧表示部２３に出力する。すると、サマリ一覧表示部２３は、サマリ情報検索部２２から退院サマリ一覧を受信し、受信した退院サマリを図２に例示するような画面で出力装置１６に表示する。
【００７６】
また、サマリ情報検索部２２は、利用者が入力装置１５を介して退院サマリを選択した場合には、サマリ表示部３０に図３に例示した退院サマリ作成画面を表示させる。具体的には、サマリ情報検索部２２は、入力装置１５を介して、退院サマリ一覧から利用者が退院サマリを選択すると、受付部２１から選択された退院サマリの文書番号を受信する。
【００７７】
そして、サマリ情報検索部２２は、受信した文書番号に応じたクエリをサーバ２へ送信することで、文書データベース８からクエリに合致する退院サマリを検索する。その後、サマリ情報検索部２２は、サーバ２から検索結果の退院サマリを受信すると、受信した退院サマリをサマリ表示部３０に出力する。すると、サマリ表示部３０は、サマリ情報検索部２２から受信した退院サマリ複写画面を出力装置１６に表示する。
【００７８】
過去サマリ取得部２４は、図３に例示した退院サマリ作成画面において、利用者が前回複写ボタンを押し下げした場合は、過去サマリの取得要求をサーバ２に送信する。そして、過去サマリ取得部２４は、サーバ２から受信した過去サマリのデータを過去サマリ表示部２６に出力する。
【００７９】
例えば、過去サマリ取得部２４は、前回複写ボタンが押し下げされた場合には、プロセス条件マスタ１７が保持する各種設定情報を読み出し、読み出した各種設定情報と退院サマリを作成している入院患者の患者ＩＤをキーとする過去サマリの取得要求をサーバ２に送信する。すると、サーバ２は、患者ＩＤ、診療科、入院日、退院日をキーとしてサマリ管理データベース７から過去サマリを検索する。そして、サーバ２は、検索結果のサマリ管理情報を過去サマリ取得部２４に送信する。
【００８０】
その後、過去サマリ取得部２４は、過去サマリが検出されるまで、プロセス条件マスタ１７で指定した最大検索回数まで検索依頼を行う。そして、過去サマリが検出された場合は、過去サマリ取得部２４は、受信した過去サマリから一番最新の文書番号に応じたクエリをサーバ２へ送信することで、文書データベース８からクエリに合致する過去サマリを検索する。過去サマリ取得部２４は、サーバ２から検索結果の過去サマリを受信すると、受信した過去サマリを過去サマリ表示部２６に出力する。
【００８１】
ここで、過去サマリ取得部２４は、サーバ２受信した過去サマリをフィルタリングし、フィルタリング後の過去サマリを過去サマリ表示部２６に出力してもよい。例えば、過去サマリ取得部２４は、受信した過去サマリから、退院サマリを作成する施設と同じ施設の過去サマリを抽出してもよい。
【００８２】
また、過去サマリ取得部２４は、プロセス条件マスタ１７に保持された検索期間の設定に応じて、所定の入院時期に作成された過去サマリを抽出してもよい。また、過去サマリ取得部２４は、作成中の退院サマリと同じ診療科が入力された過去サマリを抽出してもよい。なお、上述した例では、過去サマリ取得部２４は、診療科で過去サマリをフィルタリングしたが、入院患者の患者ＩＤと診療科をキーとする過去サマリの取得要求をサーバ２に送信することでフィルタリングを行ってもよい。
【００８３】
科別・共通サマリ取得部２５は、過去サマリ取得部２４がサーバ２から受信した過去サマリに科別サマリ、および院内共通サマリが含まれる場合には、過去サマリに含まれる科別サマリ、および院内共通サマリの取得要求をサーバ２に送信する。具体的には、科別・共通サマリ取得部２５は、サーバ２から受信した過去サマリ内に存在する院内共通サマリもしくは科別サマリの文書番号に応じたクエリをサーバ２へ送信することで、文書データベース８からクエリに合致する院内共通サマリもしくは科別サマリを検索する。科別・共通サマリ取得部２５は、サーバ２から検索結果の院内共通サマリおよび科別サマリを受信すると、受信した院内共通サマリおよび科別サマリを過去サマリ表示部２６に出力する。
【００８４】
過去サマリ表示部２６は、過去サマリ取得部２４から過去サマリを受信し、受信した過去サマリを退院サマリ複写画面の退院時サマリタブに表示する。また、過去サマリ表示部２６は、科別・共通サマリ取得部２５から院内共通サマリ、および科別サマリを受信し、受信した院内共通サマリ、および科別サマリを退院サマリ複写画面の院内共通サマリタブ、及び科別サマリタブに表示する。
【００８５】
例えば、過去サマリ表示部２６は、図４に例示した退院サマリ複写画面を参照表示し、受信した過去サマリの内容を表示する。また、過去サマリ表示部２６は、プロセス条件マスタ１７から複写項目の設定を読み出し、複写可能項目に設定された項目に複写ボタンを表示する。また、過去サマリ表示部２６は、過去サマリの各項目に複写済みである旨が登録されている場合には、登録済みである旨を、例えば複写ボタンの下に表示する。
【００８６】
また、過去サマリ表示部２６は、複数の過去サマリを受信した場合には、退院サマリ複写画面に過去サマリの選択ボタンを表示する。例えば、過去サマリ表示部２６は、「＜」、「＞」等が表示された選択ボタンを表示し、選択ボタンの押し下げに応じて、表示する過去サマリの切り替えを行う。
【００８７】
また、図４に例示したように、過去サマリ表示部２６は、院内共通サマリ、科別サマリを受信した場合には、院内共通サマリ、科別サマリのタブを表示する。そして、過去サマリ表示部２６は、選択されたタブに応じて、院内共通サマリ、または科別サマリを表示する。
【００８８】
複写実行部２７は、過去サマリの内容を作成中のサマリに複写する。具体的には、複写実行部２７は、過去サマリにおいて退院時サマリタブの複写ボタンが押し下げされた場合には、退院時サマリタブの各項目のうち、複写ボタンが押し下げされた項目の内容を、作成中の退院サマリの退院時サマリタブの同じ項目に複写する。また、複写実行部２７は、過去サマリにおいて退院時サマリタブの全複写ボタンが押し下げされた場合には、退院時サマリタブの予め設定された複写可能な項目の内容を、作成中の退院サマリの退院時サマリタブに複写する。
【００８９】
また、複写実行部２７は、過去サマリにおいて院内共通サマリタブの全複写ボタンが押し下げされた場合には、作成中の退院サマリにおける院内共通サマリタブを過去サマリの院内共通サマリ全体の内容で上書きする。また、複写実行部２７は、過去サマリにおいて科別サマリタブの全複写ボタンが押し下げされた場合には、作成中の退院サマリに新たな科別サマリタブを追加し、追加したタブを過去サマリの科別サマリ全体の内容で上書きする。
【００９０】
また、自動収集項目取得部２９は、利用者が退院サマリ作成画面の「自動収集」ボタンを押し下げした場合には、患者ＩＤ等をキーとして、入院患者について今回の入院に対して作成された各種データの取得要求をサーバ２に送信する。すると、サーバ２は、患者ＩＤをキーとして、文書ヘッダデータベース９から「入院までの経過」、「入院時現症」、「既往歴・アレルギー」、「中間サマリ」の文書ヘッダを検索する。そして、サーバ２は、検索した文書ヘッダの文書番号を用いて、文書データベース８を検索し、検索結果として各項目のデータを複写実行部２７に出力する。
【００９１】
すると、複写実行部２７は、自動収集項目取得部２９から、入院患者についての各種データを受信した場合には、受信した各データの内容を作成中の退院サマリに複写する。例えば、複写実行部２７は、入院患者についての各種データの文書内容に含まれるタグからデータを挿入すべき項目を判別し、判別した項目に各種データを複写する。そして、複写実行部２７は、各種データの文書内容を複写した退院サマリのデータを複写サマリ表示部２８に出力する。
【００９２】
なお、複写実行部２７は、過去サマリから文書内容を複写する際に、プロセス条件マスタ１７が保持する前回複写コメントを挿入する。また、複写実行部２７は、入院患者についての各種データから文書内容を複写する際に、プロセス条件マスタ１７が保持する自動収集コメントを挿入する。また、複写実行部２７は、過去サマリの複写を行った場合には、複写した項目ごとに、複写済みである旨を示す情報を過去サマリと作成中の退院サマリに追加する。
【００９３】
複写サマリ表示部２８は、複写実行部２７から受信した退院サマリのデータを表示する。そして、複写サマリ表示部２８は、利用者による退院サマリの編集を受付ける。その後、複写サマリ表示部２８は、入力装置１５を用いて、利用者が退院サマリの登録を選択した場合には、退院サマリを文書データベース８に登録する。また、サマリ表示部３０は、サマリ情報検索部２２から退院サマリを受信した場合には、図３に例示するように、サマリ情報検索部２２から受信した退院サマリを表示する。
【００９４】
なお、退院サマリ編集装置２０は、サーバ２が発揮する機能を有してもよい。すなわち、退院サマリ編集装置２０は、サマリ管理データベース７、文書データベース８、文書ヘッダデータベース９、プロセス条件マスタ１７、コンテンツマスタ１８を含み、各データベース７〜９、１７、１８からデータを検索する機能を有していてもよい。
【００９５】
次に、図１２〜１４を用いて、退院サマリ編集装置２０が前回複写処理を行う処理の流れについて説明する。まず、図１２を用いて、退院サマリ編集装置２０が退院サマリを表示する処理の流れについて説明する。図１２は、退院サマリの表示処理を説明するための図である。
【００９６】
まず、退院サマリ編集装置２０は、出力装置１６に「サマリ一覧」ボタンを有するナビゲーションマップを表示する（ステップＳ１）。そして、退院サマリ編集装置２０は、「サマリ一覧」ボタンがクリックされると、サマリ管理データベース７からサマリ情報を取得し（ステップＳ２）、取得した情報の絞込みを行う（ステップＳ３）。なお、ステップＳ３に示す絞込みは、サマリ情報の検索条件によっては、省略してもよい。
【００９７】
次に、退院サマリ編集装置２０は、図２に示す退院サマリ一覧画面を表示する（ステップＳ４）。ここで退院サマリ編集装置２０は、退院サマリ一覧画面において退院サマリがクリックされると、選択した退院サマリを文書データベース８から取得し（ステップＳ５）、取得した退院サマリを表示する（ステップＳ６）。
【００９８】
次に、図１３を用いて、過去サマリ表示処理と前回複写処理の流れについて説明する。図１３は、過去サマリ表示処理と前回複写処理を説明するための図である。例えば、図１３に示すように、退院サマリ編集装置２０は、退院サマリ作成画面を表示する（ステップＳ１１）。ここで、退院サマリ編集装置２０は、「前回複写」ボタンが押し下げされた場合には、プロセス条件マスタ１７が保持する設定に応じて、退院サマリを作成する入院患者についての過去サマリ情報をサマリ管理データベース７から取得する（ステップＳ１２）。
【００９９】
次に、退院サマリ編集装置２０は、プロセス条件マスタ１７が保持する設定に応じて、検索要件を満たす過去サマリである対象サマリがサマリ管理データベース７に記憶されていたか否かをチェックする（ステップＳ１３）。そして、退院サマリ編集装置２０は、プロセス条件マスタ１７に設定された複写可能項目をチェックする（ステップＳ１４）。
【０１００】
次に、退院サマリ編集装置２０は、複写元となる過去サマリ、院内共通サマリ、または科別サマリの取得処理を行う（ステップＳ１５）。詳細には、退院サマリ編集装置２０は、図４に例示した退院サマリ複写画面を初期化し（ステップＳ１６）、文書データベース８が保持する過去サマリを取得する（ステップＳ１７）。また、退院サマリ編集装置２０は、過去サマリに科別サマリ、および院内共通サマリが含まれる場合には、科別サマリ、および院内共通サマリを取得する（ステップＳ１８）。
【０１０１】
次に、退院サマリ編集装置２０は、退院サマリ複写画面が既に起動している場合には、取得した過去サマリ、院内共通サマリ、または科別サマリの各項目のうち、作成中の退院サマリに対して既に複写した複写済み項目をチェックする（ステップＳ１９）。その後、退院サマリ編集装置２０は、図４に例示した退院サマリ複写画面を表示する（ステップＳ２０）。
【０１０２】
また、退院サマリ編集装置２０は、「＜」や「＞」等が表示された選択ボタンにより、退院サマリ複写画面に表示する過去サマリの切り替え等を行う（ステップＳ２１）。そして、退院サマリ編集装置２０は、各画面において「閉じる」ボタンが押し下げされた場合は、退院サマリ複写画面の表示を終了する（ステップＳ２２）。一方、退院サマリ編集装置２０は、複写ボタンもしくは全複写ボタンが押し下げされた場合には、過去サマリの内容を作成中の退院サマリへ複写する（ステップＳ２３）。
【０１０３】
そして、退院サマリ編集装置２０は、過去サマリを表示する画面において、複写した項目については、「複写済」ラベルを表示する（ステップＳ２４）。なお、退院サマリ編集装置２０は、ステップＳ２１の処理において、表示する過去サマリの変更が行われた場合には、ステップＳ１６の処理を再度実行する。
【０１０４】
次に、図１４を用いて、自動収集処理の流れについて説明する。図１４は、自動収集処理を説明するための図である。例えば、図１４に示す例では、退院サマリ編集装置２０は、退院サマリ作成画面において「自動収集」ボタンが押し下げされた場合は（ステップＳ３１）、自動収集処理を実行する（ステップＳ３２）。
【０１０５】
詳細には、退院サマリ編集装置２０は、文書ヘッダデータベース９、および文書データベース８から退院サマリを作成する入院患者についての入院中の記載、すなわち、退院サマリに記載すべき項目や中間サマリを検索する（ステップＳ３３）。次に、退院サマリ編集装置２０は、プロセス条件マスタ１７が保持する各種設定に従って、検索した項目や中間サマリを作成中の退院サマリに複写し（ステップＳ３４）、複写済みの退院サマリを表示する（ステップＳ３５）。
【０１０６】
次に、図１５〜１９を用いて、退院サマリ編集装置２０が実行する処理の流れを説明する。まず、図１５を用いて、退院サマリ編集装置２０が実行する自動収集処理の流れについて説明する。図１５は、自動収集処理の流れを説明するためのフローチャートである。なお、退院サマリ編集装置２０は、「自動収集」ボタンが押し下げされたことをトリガとして、以下の処理を実行する。
【０１０７】
まず、退院サマリ編集装置２０は、「自動収集中です」のスクリーンカバーをかける（ステップＳ１０１）。次に、退院サマリ編集装置２０は、退院サマリを作成する入院患者についての入退院の情報を取得する（ステップＳ１０２）。次に、退院サマリ編集装置２０は、退院サマリを作成する入院患者についての各種データや中間サマリの文書ヘッダを取得する（ステップＳ１０３）。
【０１０８】
そして、退院サマリ編集装置２０は、対象文書の詳細を取得し（ステップＳ１０４）、取得した文書に複写すべき記載が存在するか否かを判別する（ステップＳ１０５）。例えば、退院サマリ編集装置２０はプロセス条件マスタ１７に記憶された設定に従って、退院サマリに複写すべき内容を示すタグが文書内容に含まれているか否かを判別する（ステップＳ１０５）。
【０１０９】
そして、退院サマリ編集装置２０は、取得した文書に複写すべき記載が存在する場合には（ステップＳ１０５肯定）、貼り付け処理を実行する。詳細には、退院サマリ編集装置２０は、貼り付け先の項目に何らかの記載が存在しているかを判別し（ステップＳ１０６）、何らかの記載が貼り付け先の項目に存在する場合には（ステップＳ１０６肯定）、改行コードを２つ挿入する（ステップＳ１０７）、一方、退院サマリ編集装置２０は、貼り付け先の項目に何らかの記載が存在していない場合には（ステップＳ１０６否定）、ステップＳ１０７の処理をスキップする。
【０１１０】
次に、退院サマリ編集装置２０は、プロセス条件マスタ１７に自動収集コメントの設定がされているか否かを判別する（ステップＳ１０８）。そして、退院サマリ編集装置２０は、自動収集コメントの設定がされている場合には（ステップＳ１０８肯定）、設定されている自動収集コメントと改行コードを１つ挿入する（ステップＳ１０９）。一方、退院サマリ編集装置２０は、自動収集コメントが設定されていない場合には（ステップＳ１０８否定）、ステップＳ１０９の処理をスキップする。続いて、退院サマリ編集装置２０は、ステップＳ１０４にて取得した記載を作成中の退院サマリに挿入する（ステップＳ１１０）。
【０１１１】
次に、退院サマリ編集装置２０は、「入院までの経過」、「入院時現症」、「既往歴・アレルギー」、「入院後臨床経過（すなわち、中間サマリ）」等、対象文書の種類だけステップＳ１０６〜Ｓ１１０の貼り付け処理を行ったか否かを判別する（ステップＳ１１１）。そして、退院サマリ編集装置２０は、対象文書の種類だけ処理を行ったと判別した場合には（ステップＳ１１１肯定）、自動収集日付を退院サマリ作成画面に表示する（ステップＳ１１２）。その後、退院サマリ編集装置２０は、「自動収集完了」のメッセージを表示して（ステップＳ１１３）、処理を終了する。
【０１１２】
一方、退院サマリ編集装置２０は、対象文書の種類だけ処理を行っていない場合には（ステップＳ１１１否定）、ステップＳ１０３の処理を再度実行する。また、退院サマリ編集装置２０は、ステップＳ１０４にて取得した文書に退院サマリに挿入すべき内容が含まれて居ない場合には（ステップＳ１０５否定）、貼り付け処理をスキップする。
【０１１３】
次に、図１６を用いて、退院サマリ複写画面起動処理を起動する処理の流れについて説明する。図１６は、退院サマリ複写画面起動処理の流れを説明するためのフローチャートである。なお、退院サマリ編集装置２０は、「前回複写」ボタンが押し下げされたことをトリガとして、以下の処理を実行する。
【０１１４】
まず、退院サマリ編集装置２０は、対象診療科の設定を取得し（ステップＳ２０１）、過去サマリの検索条件を設定する（ステップＳ２０２）。そして、退院サマリ編集装置２０は、検索条件に合致する過去サマリ、すなわち対象サマリを取得し（ステップＳ２０３）、対象サマリを退院サマリを作成する診療科でフィルタリングする（ステップＳ２０４）。
【０１１５】
次に、退院サマリ編集装置２０は、フィルタリング後に対象サマリが残っているか否かを判別し（ステップＳ２０５）、残っていない場合は（ステップＳ２０５否定）、設定された最大検索回数Ｎが実際の検索回数よりも多いか否かを判別する（ステップＳ２０６）。そして、退院サマリ編集装置２０は、実際の検索回数が最大検索回数Ｎ以上の場合には（ステップＳ２０６肯定）、「複写可能なサマリがありません」と表示し（ステップＳ２０７）、処理を終了する。
【０１１６】
一方、退院サマリ編集装置２０は、検索回数が最大検索回数Ｎより少ない場合には（ステップＳ２０６否定）、検索対象となる期間を広げた検索が選択されたか否かを判別する（ステップＳ２０８）。そして、退院サマリ編集装置２０は、検索対象となる期間を広げた検索が選択されていない場合は（ステップＳ２０８否定）、そのまま処理を終了する。また、退院サマリ編集装置２０は、検索対象となる期間を広げた検索が選択された場合は（ステップＳ２０８肯定）、検索条件の再設定を行う（ステップＳ２０９）。次に、退院サマリ編集装置２０は、再度過去サマリの検索を行い、対象サマリが見つかったか否かを判別する（ステップＳ２１０）。
【０１１７】
そして、退院サマリ編集装置２０は、対象サマリが見つかった場合には（ステップＳ２１０肯定）、退院サマリ複写画面を生成して基本情報をセットし（ステップＳ２１１）、過去サマリ展開処理を実行する。詳細には、退院サマリ編集装置２０は、検索したｎ件の対象サマリのうち、一番新しく作成されたｎ番目の過去サマリの文書内容を取得し、退院サマリ複写画面の退院時サマリのタブに展開する（ステップＳ２１２）。次に、退院サマリ編集装置２０は、ｎ番目の過去サマリに院内共通サマリ、および科別サマリが含まれているか否かを判別する（ステップＳ２１３）。
【０１１８】
そして、退院サマリ編集装置２０は、院内共通サマリ、および科別サマリがｎ番目の過去サマリに含まれている場合は（ステップＳ２１３肯定）、文書データベース８から院内共通サマリ、および科別サマリを取得し、退院サマリ複写画面上に展開する（ステップＳ２１４）。すなわち、院内共通サマリや科別サマリのタブを表示する。なお、退院サマリ編集装置２０は、院内共通サマリ、および科別サマリがｎ番目の過去サマリに含まれていない場合は（ステップＳ２１３否定）、ステップＳ２１４の処理をスキップする。
【０１１９】
続いて、退院サマリ編集装置２０は、「＞」ボタン、つまり選択ボタンのうち、別のサマリを選択する処理に不要な選択ボタンを無効化する（ステップＳ２１５）。そして、退院サマリ編集装置２０は、図４に例示する退院サマリ複写画面を表示し（ステップＳ２１６）、処理を終了する。
【０１２０】
なお、退院サマリ編集装置２０は、ステップＳ２１０にて対象サマリが見つからない場合は（ステップＳ２１０否定）、再度ステップＳ２０３の処理を実行する。また、退院サマリ編集装置２０は、フィルタリング後に対象サマリが残っている場合は（ステップＳ２０５肯定）、ステップＳ２１１の処理を実行する。
【０１２１】
次に、図１７を用いて、退院サマリ複写画面を切り替える処理の流れについて説明する。図１７は、退院サマリ複写画面の切り替え処理の流れを説明するためのフローチャートである。なお、図１７には、図１６に示す処理において、ｎ個の対象サマリが読み出された例について記載した。また、図１７には「＜」ボタンを押すと、若番の対象サマリが表示され、「＞」ボタンを押すと、老番の対象サマリが表示される例について記載した。また、退院サマリ編集装置２０は、「＜」または「＞」が選択されたことをトリガとして以下の処理を実行する。
【０１２２】
まず、退院サマリ編集装置２０は、画面を初期化する（ステップＳ３０１）。次に、退院サマリ編集装置２０は、ｉ番目の過去サマリを取得し、画面の退院時サマリタブ上に展開する（ステップＳ３０２）。次に、退院サマリ編集装置２０は、院内共通サマリ、および科別サマリがｉ番目の過去サマリに含まれているか否かを判別する（ステップＳ３０３）。
【０１２３】
そして、退院サマリ編集装置２０は、院内共通サマリ、および科別サマリがｉ番目の過去サマリに含まれている場合は（ステップＳ３０３肯定）、院内共通サマリ、および科別サマリを文書データベース８から取得し、画面上にタブを展開する（ステップＳ３０４）。なお、退院サマリ編集装置２０は、院内共通サマリ、および科別サマリがｉ番目の過去サマリに含まれていない場合は（ステップＳ３０３否定）、ステップＳ３０４の処理をスキップする。
【０１２４】
そして、退院サマリ編集装置２０は、「ｉ＝１」であるか否かを判別し（ステップＳ３０５）、「ｉ＝１」である場合は（ステップＳ３０５肯定）、「＜」ボタンを無効化する（ステップＳ３０６）。つまり、退院サマリ編集装置２０は、表示中の過去サマリが対象サマリのうち最若番の過去サマリである場合は、「＜」ボタンを無効化する。また、退院サマリ編集装置２０は、「ｉ＝１」ではない場合は（ステップＳ３０５否定）、「ｉ＝ｎ」であるか否かを判別する（ステップＳ３０７）。
【０１２５】
そして、退院サマリ編集装置２０は、「ｉ＝ｎ」である場合には（ステップＳ３０７肯定）、「＞」ボタンを無効化する（ステップＳ３０８）。すなわち、退院サマリ編集装置２０は、表示中の過去サマリが対象サマリのうち最老番の過去サマリである場合には、「＞」ボタンを無効化する。そして、退院サマリ編集装置２０は、ステップＳ３０６を実行した場合、ステップＳ３０８を実行した場合、または「ｉ＝ｎ」ではない場合には（ステップＳ３０７否定）、複写画面を再度描画し（ステップＳ３０９）、処理を終了する。
【０１２６】
次に、図１８を用いて、過去サマリ、院内共通サマリ、または科別サマリから作成中の退院サマリに複写を行う処理の流れについて説明する。図１８は、複写処理の流れを説明するためのフローチャートである。なお、図１８に示す例では、退院サマリ編集装置２０は、複写ボタンが押し下げされたことをトリガとして、以下の処理を実行する。
【０１２７】
まず、退院サマリ編集装置２０は、複写ボタンが押し下げされた過去サマリの項目に記載があるか否かを判別する（ステップＳ４０１）。そして、退院サマリ編集装置２０は、複写ボタンが押し下げされた過去サマリの項目に記載がある場合は（ステップＳ４０１肯定）、項目が退院時サマリタブの項目であるか否かを判別する（ステップＳ４０２）。
【０１２８】
次に、退院サマリ編集装置２０は、項目が退院時サマリタブの項目である場合は（ステップＳ４０２肯定）、項目がテキストボックス形式の項目であるか否かを判別する（ステップＳ４０３）。そして、退院サマリ編集装置２０は、項目がテキストボックス形式である場合は（ステップＳ４０３肯定）、作成中の退院サマリの各項目のうち、複写先となる項目に記載があるか否かを判別する（ステップＳ４０４）。
【０１２９】
そして、退院サマリ編集装置２０は、複写先となる項目に記載がある場合は（ステップＳ４０４肯定）、複写先となる項目に改行コードを２つ挿入する（ステップＳ４０５）。なお、退院サマリ編集装置２０は、複写先となる項目に記載がない場合は（ステップＳ４０４否定）、ステップＳ４０５の処理をスキップする。
【０１３０】
次に、退院サマリ編集装置２０は、プロセス条件マスタ１７に前回複写コメントが設定されているか否かを判別する（ステップＳ４０６）。ここで、退院サマリ編集装置２０は、前回複写コメントが設定されている場合は（ステップＳ４０６肯定）、複写先の項目に自動収集コメントと改行コードを１つ挿入する（ステップＳ４０７）。
【０１３１】
一方、退院サマリ編集装置２０は、前回複写コメントが設定されていない場合は（ステップＳ４０６否定）、ステップＳ４０７の処理をスキップする。そして、退院サマリ編集装置２０は、複写ボタンが押し下げされた項目を複写先の項目に挿入する（ステップＳ４０８）。その後、退院サマリ編集装置２０は、複写先の項目、および複写元の項目に「複写済」ラベルを表示し（ステップＳ４０９）、処理を終了する。
【０１３２】
一方、退院サマリ編集装置２０は、項目がテキストボックス形式ではない場合は（ステップＳ４０３否定）、項目が一覧表示形式であるか否かを判別する（ステップＳ４１０）。そして、退院サマリ編集装置２０は、項目が一覧表示形式である場合は（ステップＳ４１０肯定）、複写先の項目に複写元の項目を行挿入し（ステップＳ４１１）、複写先の項目、および複写元の項目に「複写済」ラベルを表示する（ステップＳ４０９）。また、退院サマリ編集装置２０は、項目が一覧表示形式ではない場合は（ステップＳ４１０否定）、項目がコンボボックス形式であると判別し、複写元項目の内容で複写先項目を上書きし（ステップＳ４１２）、その後、ステップＳ４０９を実行する。
【０１３３】
また、退院サマリ編集装置２０は、項目が退院時サマリタブの項目ではない場合は（ステップＳ４０２否定）、項目が院内共通サマリタブであるか否かを判別する（ステップＳ４１３）。そして、退院サマリ編集装置２０は、項目が院内共通サマリタブである場合は（ステップＳ４１３肯定）、複写先項目の記載を複写元項目の記載で上書きし（ステップＳ４１４）、その後、ステップＳ４０９を実行する。
【０１３４】
また、退院サマリ編集装置２０は、項目が院内共通サマリの項目ではない場合は（ステップＳ４１３否定）、項目が科別サマリタブであると判別し、科別サマリの有効期間が切れているか否かを判別する（ステップＳ４１５）。次に、退院サマリ編集装置２０は、科別サマリの有効期間が切れていない場合は（ステップＳ４１６肯定）、複写先の退院サマリに登録された科別サマリタブが最大追加可能枠数を超えて居ないか否かを判別する（ステップＳ４１６）。
【０１３５】
そして、退院サマリ編集装置２０は、最大追加可能枠数を超えていない場合は（ステップＳ４１６肯定）、複写元の科別サマリと同じ形式の科別サマリのタブを退院サマリ作成画面にタブを追加し（ステップＳ４１７）、その後、ステップＳ４０９を実行する。なお、退院サマリ編集装置２０は、科別サマリの有効期間が切れている場合は（ステップＳ４１５否定）、そのまま処理を終了する。
【０１３６】
［退院サマリ編集装置２０の効果］
上述したように、退院サマリ編集装置２０は、入院患者の過去の退院の際に作成され、登録された過去の退院サマリ情報を読み出す。そして、退院サマリ編集装置２０は、今回の退院についての退院サマリの編集画面において、読み出した過去サマリを参照表示する。また、退院サマリ編集装置２０は、参照表示した過去サマリ情報から選択された記載項目を退院サマリ情報へ複写すること、または複写と編集との双方を許容する。このため、退院サマリ編集装置２０は、新たな退院サマリを容易に生成することができる。
【０１３７】
また、退院サマリ編集装置２０は、入院の診療科、入院時期等の情報について、今回の入院内容情報と合致度が高い退院サマリ情報を優先して読み出す。このため、退院サマリ編集装置２０は、再利用可能な過去サマリを優先して読み出すことができ、効率的な退院サマリの生成を行う事ができる。
【０１３８】
また、退院サマリ編集装置２０は、過去サマリの項目のうち、予め設定された複写が可能な項目のみを複写させる。すなわち、退院サマリ編集装置２０は、予め設定された複写可能な項目についてのみ複写ボタンを表示する。このため、退院サマリ編集装置２０は、新たな退院サマリの編集の手間を軽減することができる。
【０１３９】
また、退院サマリ編集装置２０は、複写元が院内共有サマリである場合には、複写先の内容を、院内共有サマリの内容で上書きする。このため、退院サマリ編集装置２０は、編集の手間を軽減することができる。
【０１４０】
また、退院サマリ編集装置２０は、複写済みの過去サマリについては、複写済みであることを表示する。この結果、退院サマリ編集装置２０は、複写が重複して行われるのを防ぎ、編集の手間を軽減することができる。
【実施例２】
【０１４１】
これまで本発明の実施例について説明したが実施例は、上述した実施例以外にも様々な異なる形態にて実施されてよいものである。そこで、以下では実施例２として本発明に含まれる他の実施例を説明する。
【０１４２】
（１）情報処理システムについて
上述した実施例１では、過去サマリ、院内共通サマリ、科別サマリ、中間サマリ、各種項目の情報を記憶するサーバ２とクライアント１０とがネットワークを介して、各種データを送受信する例について記載した。しかし、実施例はこれに限定されるものではなく、例えば、サーバ２の機能をクライアント１０が発揮してもよい。また、クライアント１０の機能のうち、退院サマリ一覧の画面や、退院サマリ作成画面等を表示する機能以外の機能をサーバ２に持たせ、サーバ２が実質的な退院サマリ作成装置として動作してもよい。
【０１４３】
（２）全複写ボタンについて
上述した実施例１では、過去サマリの各項目のうち、複写可能な項目についてのみ複写ボタンを表示することで、退院サマリを編集する手間を軽減した。しかし、実施例は、これに限定されるものではない。例えば、退院サマリ編集装置２０は、過去サマリの内容を全て複写する全複写ボタンを表示し、全複写ボタンが押し下げされた場合は、過去サマリの全内容、もしくは複写可能な全ての項目の内容を、作成中の退院サマリに複写してもよい。
【０１４４】
（３）プログラム
また、上記の実施例で説明した各種の処理は、予め用意されたプログラムをパーソナルコンピュータやワークステーションなどのコンピュータで実行することによって実現することができる。そこで、以下では、図１９を用いて、上記の実施例と同様の機能を有する退院サマリ編集プログラムを実行するコンピュータの一例について説明する。
【０１４５】
図１９は、退院サマリ編集プログラムを実行するコンピュータの一例について説明するための図である。図１９に示すように、コンピュータ１００は、ＣＰＵ１５０と、ＲＯＭ（Read  Only  Memory）１６０と、ＨＤＤ（Hard  Disk  Drive）１７０と、ＲＡＭ（Random  Access  Memory）１８０と有する。これら１１０〜１８０の各部はバス１４０を介して接続される。
【０１４６】
ＨＤＤ１７０には、退院サマリ編集装置２０と同様の機能を発揮する退院サマリ編集プログラム１７０ａが予め記憶される。この退院サマリ編集プログラム１７０ａについては、実施例１で示した各構成要素と同様、適宜統合又は分離してもよい。すなわち、ＨＤＤ１７０に格納される各データは、常に全てのデータがＨＤＤ１７０に格納される必要はなく、処理に必要なデータのみがＨＤＤ１７０に格納されればよい。
【０１４７】
そして、ＣＰＵ１５０が、退院サマリ編集プログラム１７０ａをＨＤＤ１７０から読み出してＲＡＭ１８０に展開する。これによって、図１９に示すように、退院サマリ編集プログラム１７０ａは、退院サマリ編集プロセス１８０ａとして機能する。この退院サマリ編集プロセス１８０ａは、ＨＤＤ１７０から読み出した各種データを適宜ＲＡＭ１８０上の自身に割り当てられた領域に展開し、この展開した各種データに基づいて各種処理を実行する。
【０１４８】
なお、退院サマリ編集プロセス１８０ａは、受付部２１、サマリ情報検索部２２、サマリ一覧表示部２３、過去サマリ取得部２４、科別・共通サマリ取得部２５、過去サマリ表示部２６、複写実行部２７、複写サマリ表示部２８、自動収集項目取得部２９、サマリ表示部３０にて実行される処理を含む。また、ＣＰＵ１５０上で仮想的に実現される各処理部は、常に全ての処理部がＣＰＵ１５０上で動作する必要はなく、処理に必要な処理部のみが仮想的に実現されればよい。
【０１４９】
なお、上記の退院サマリ編集プログラム１７０ａについては、必ずしも最初からＨＤＤ１７０やＲＯＭ１６０に記憶させておく必要はない。例えば、コンピュータ１００に挿入されるフレキシブルディスク、いわゆるＦＤ（Flexible  Disk）、ＣＤ（Compact  Disk）−ＲＯＭ、ＤＶＤ（Digital  Video  Disk）、光磁気ディスク、ＩＣカードなどの「可搬用の物理媒体」に各プログラムを記憶させる。
【０１５０】
そして、コンピュータ１００がこれらの可搬用の物理媒体から各プログラムを取得して実行するようにしてもよい。また、公衆回線、インターネット、ＬＡＮ、ＷＡＮ（Wide  Area  Network）などを介してコンピュータ１００に接続される他のコンピュータまたはサーバ装置などに各プログラムを記憶させておき、コンピュータ１００がこれらから各プログラムを取得して実行するようにしてもよい。
【０１５１】
以上の各実施例を含む実施形態に関し、さらに以下の付記を開示する。
【０１５２】
（付記１）入院患者についての退院サマリを作成するコンピュータに、今回の退院についての退院サマリの編集画面において、前記入院患者の過去の退院の際に作成され、登録された過去の退院サマリ情報を読み出し、読み出した前記過去の退院サマリ情報を参照表示し、参照表示した前記過去の退院サマリ情報から選択された記載内容を新たな退院サマリ情報へ複写すること、又は、複写と編集の双方を行うことを許容する、処理を実行させることを特徴とする退院サマリ編集プログラム。
【０１５３】
（付記２）前記過去の退院サマリ情報を読み出す処理として、前記過去の退院サマリのうち、入院の診療科、入院時期等の情報について、今回の入院内容情報と合致度が高い退院サマリ情報を優先して読み出す処理を実行させることを特徴とする付記１に記載の退院サマリ編集プログラム。
【０１５４】
（付記３）前記過去の退院サマリ情報から選択された記載内容を新たな退院サマリ情報へ複写すること、又は、複写と編集の双方を行うことを許容する処理として、前記過去の退院サマリ情報の項目のうち、予め設定された複写が可能な項目のみを複写させることを特徴とする付記１または２に記載の退院サマリ編集プログラム。
【０１５５】
（付記４）前記過去の退院サマリ情報から選択された記載内容を新たな退院サマリ情報へ複写すること、又は、複写と編集の双方を行うことを許容する処理として、前記過去の退院サマリ情報の内容が院内の共通サマリ情報である場合、共通サマリ情報で上書きする処理を実行させることを特徴とする付記１−３のいずれか１つに記載の退院サマリ編集プログラム。
【０１５６】
（付記５）前記コンピュータに、前記複写した過去の退院サマリ情報については、複写済みであることを示す情報を表示する処理を実行させることを特徴とする付記３または４に記載の退院サマリ編集プログラム。
【０１５７】
（付記６）新たな退院サマリを作成する入院患者について、前記入院患者の過去の退院の際に作成され、登録された過去の退院サマリ情報を読み出す読み出し部と、今回の退院についての退院サマリの編集画面において、前記読み出し部が読み出した前記過去の退院サマリ情報を参照表示する表示部と、前記表示部が参照表示した前記過去の退院サマリ情報から選択された記載内容を新たな退院サマリ情報へ複写すること、又は、複写と編集の双方を行うことを許容する編集部とを有することを特徴とする退院サマリ編集装置。
【０１５８】
（付記７）前記読み出し部は、前記過去の退院サマリのうち、入院の診療科、入院時期等の情報について、今回の入院内容情報と合致度が高い退院サマリ情報を優先して読み出すことを特徴とする付記６に記載の退院サマリ編集装置。
【０１５９】
（付記８）前記編集部は、前記過去の退院サマリ情報の項目のうち、予め設定された複写が可能な項目のみを複写することを特徴とする付記６または７に記載の退院サマリ編集装置。
【０１６０】
（付記９）前記編集部は、前記過去の退院サマリ情報の内容が院内の共通サマリ情報である場合、共通サマリ情報で上書きすることを特徴とする付記６−８のいずれか１つに記載の退院サマリ編集装置。
【０１６１】
（付記１０）前記表示部は、複写した過去の退院サマリ情報については、複写済みであることを示す情報を表示することを特徴とする付記８または９に記載の退院サマリ編集装置。
【０１６２】
（付記１１）入院患者についての退院サマリを作成する退院サマリ編集装置が、今回の退院についての退院サマリの編集画面において、前記入院患者の過去の退院の際に作成され、登録された過去の退院サマリ情報を読み出し、読み出した前記過去の退院サマリ情報を参照表示し、
参照表示した前記過去の退院サマリ情報から選択された記載内容を新たな退院サマリ情報へ複写すること、又は、複写と編集の双方を行うことを許容する、処理を実行することを特徴とする退院サマリ編集方法。
【０１６３】
（付記１２）前記過去の退院サマリ情報を読み出す処理として、前記過去の退院サマリのうち、入院の診療科、入院時期等の情報について、今回の入院内容情報と合致度が高い退院サマリ情報を優先して読み出す処理を実行させることを特徴とする付記１１に記載の退院サマリ編集方法。
【０１６４】
（付記１３）前記過去の退院サマリ情報から選択された記載内容を新たな退院サマリ情報へ複写すること、又は、複写と編集の双方を行うことを許容する処理として、前記過去の退院サマリ情報の項目のうち、予め設定された複写が可能な項目のみを複写させることを特徴とする付記１１または１２に記載の退院サマリ編集方法。
【０１６５】
（付記１４）前記過去の退院サマリ情報から選択された記載内容を新たな退院サマリ情報へ複写すること、又は、複写と編集の双方を行うことを許容する処理として、前記過去の退院サマリ情報の内容が院内の共通サマリ情報である場合、共通サマリ情報で上書きする処理を実行させることを特徴とする付記１１−１３のいずれか１つに記載の退院サマリ編集方法。
【０１６６】
（付記１５）前記複写した過去の退院サマリ情報については、複写済みであることを示す情報を表示する処理を実行させることを特徴とする付記１３または１４に記載の退院サマリ編集方法。
【符号の説明】
【０１６７】
１  情報処理システム
２  サーバ
３、１１  記憶装置
４、１２  ＣＰＵ
５、１３  Ｉ／Ｏ
６、１４  メモリ
７  サマリ管理データベース
８  文書データベース
９  文書ヘッダデータベース
１０  クライアント
１５  入力装置
１６  出力装置
１７  プロセス条件マスタ
１８  コンテンツマスタ
２０  退院サマリ編集装置
２１  受付部
２２  サマリ情報検索部
２３  サマリ一覧表示部
２４  過去サマリ取得部
２５  科別・共通サマリ取得部
２６  過去サマリ表示部
２７  複写実行部
２８  複写サマリ表示部
２９  自動収集項目取得部
３０  サマリ表示部
【図１】
2014071768.tif 000003
【図２】
2014071768.tif 000004
【図３】
2014071768.tif 000005
【図４】
2014071768.tif 000006
【図５】
2014071768.tif 000007
【図６】
2014071768.tif 000008
【図７】
2014071768.tif 000009
【図８】
2014071768.tif 000010
【図９】
2014071768.tif 000011
【図１０】
2014071768.tif 000012
【図１１】
2014071768.tif 000013
【図１２】
2014071768.tif 000014
【図１３】
2014071768.tif 000015
【図１４】
2014071768.tif 000016
【図１５】
2014071768.tif 000017
【図１６】
2014071768.tif 000018
【図１７】
2014071768.tif 000019
【図１８】
2014071768.tif 000020
【図１９】
2014071768.tif 000021